(57)【要約】      （修正有）【課題】廃棄する場合の収納袋を上方向より簡単に取出される組立収納容器を提供し、収納袋が簡単に接合・分離できる収納袋装着体を提供する。【解決手段】断面形状が可変なる筒状の側壁補強板Ａの上部開口部Ａ１５に並設した開口部補強板Ａ１６に突設した支持腕体Ａ２１に、中央に収納開口穴Ｈ１を有し周縁部が側壁補強板Ａの上部開口部Ａ１５内面に当接する開口部形状保持体Ｈと、収納袋Ｄの開口縁Ｄ２、Ｄ４を周縁部に接合すると共に、中央に収納開口穴を有する収納袋装着体Ｇを載置する組立収納容器において、対応的凹凸部で互いに係合した開口部形状保持体の収納開口穴に貫通すると共に、開閉自在なる折曲げ部により断面形状が可変なる筒状の収納袋取出補助体Ｋの開口部Ｋ１５に収納袋を装着し、かつ、対応的凹凸部で互いに係合した仕切板を付設した収納袋取出補助体の分割開口部に複数の収納袋を装着する組立収納容器。【選択図】      図１１
2004331394.tif 000002
【特許請求の範囲】
【請求項１】
開閉自在なる折曲げ部により断面形状が可変なる筒状の側壁補強板の、上部開口部に並設する開口部補強板に突設した支持腕体に、周縁を上記側壁補強板の上部開口部内面に当接し中央に収納開口穴を有する開口部形状保持体と、周縁部に収納袋の開口縁を接合すると共に中央に収納開口穴を有する収納袋装着体を載置し、かつ、上記側壁補強板の仕切板により形成される分割上部開口部に複数の上記収納袋装着体を載置する組立収納容器において、対応的凹凸部をもって互いに係合した上記開口部形状保持体の収納開口穴に貫通すると共に、開閉自在なる折曲げ部により断面形状が可変なる筒状の収納袋取出補助体の開口部に収納袋を装着し、かつ、対応的凹凸部をもって互いに係合した仕切板を付設した上記収納袋取出補助体の分割開口部に、複数の収納袋を装着したことを特徴とする組立収納容器。
【請求項２】
周縁部に並設する収納袋係止板に上記収納袋の開口縁を巻込み、かつ、その巻込んだ収納袋の開口縁を上記収納袋係止板に押圧する収納袋保持板を並設し、かつ、その押圧状態を開放するミシン目を配設したところの上記収納袋装着体を載置したことを特徴とする請求項１記載の組立収納容器。
【発明の詳細な説明】
【０００１】
【発明の属する技術分野】
本発明は、ゴミや廃品等を収集するための、小さなスペースでの保管・輸送を可能とし、収納袋を確実・簡単に装着できる組立収納容器に関し、開閉自在なる折曲げ部により断面形状が可変なる筒状の側壁補強板の上部開口部に突設した支持腕体に、周縁を側壁補強板の上部開口部内面に当接し中央に収納開口穴を有する開口部形状保持体と、収納袋の開口縁を周縁部に接合すると共に中央に収納開口穴を有する収納袋装着体を載置し、かつ、側壁補強板の仕切板により形成される分割上部開口部に、複数の収納袋装着体を載置する組立収納容器に適用するものである。
【０００２】
【従来の技術】
図２７〜図３５は従来の収納袋装着体Ｂを組込んだ組立収納容器の図面である。
図において、Ａは側壁補強板で、１枚の厚み０．５ｍｍ程度の厚紙を用い、断面形状が略正方形となるところの四角Ａ１〜Ａ４のうちの角Ａ４にて接着剤で貼り合せて筒状にしたものである。また、この側壁補強板Ａは、四角Ａ１〜Ａ４に付けた折曲げ線Ａ５〜Ａ８にて折畳まれた状態より筒状に組立されたものであり、先ず、交差する対角線Ａ９，Ａ１０うち、一方の対角線Ａ９の両端に位置するところの角Ａ１，Ａ３にて、それぞれの折曲げ線Ａ５，Ａ７をもってそれぞれ内側方向に折畳んでいる。これにより、他方の対角線Ａ１０の両端に位置するところの角Ａ２，Ａ４は、折曲げ線Ａ６，Ａ８をもってそれぞれ外側方向に開放する状態となり、四辺Ａ１１〜Ａ１４のうち辺Ａ１１とＡ１４、及び辺Ａ１２とＡ１３がそれぞれ折重ねられることとなる。更に、折曲げ線Ａ６をもって辺Ａ１１とＡ１２が折重ねられるように折畳むならば、辺Ａ１４，Ａ１３も折曲げ線Ａ８をもって辺Ａ１１，Ａ１２に沿ってそれぞれ折重ねられ、この側壁補強板Ａは小さなスペースでの保管・輸送が可能となるように、四辺Ａ１１〜Ａ１４の全てが折重ねられている。
【０００３】
側壁補強板Ａの上部開口部Ａ１５に開口部補強板Ａ１６を並設している。この開口部補強板Ａ１６は、上部開口部Ａ１５の延長上の一部を開口縁Ａ２０にて側壁補強板Ａの内側方向に折返したものであり、更に、四辺Ａ１１〜Ａ１４に対応する４枚の開口部補強板Ａ１６には、それぞれ２枚の支持腕体Ａ２１を突設して合計８枚の支持腕体Ａ２１が突設されている。
この支持腕体Ａ２１は四辺形の形状からなり、四辺Ａ２９〜Ａ３２のうちの三辺Ａ２９〜Ａ３１は、開口部補強板Ａ１６をミシン目により略コ字形に切離したものであり、このミシン目により切離された支持腕体Ａ２１は、残る一辺Ａ３２に有する折曲げ線Ａ３３をもって開口部補強板Ａ１６に対して略直角に折曲げている。なお、開口縁Ａ２０に平行する二辺Ａ３０，Ａ３２のうち、開口縁Ａ２０に近い辺Ａ３０はミシン目により切離し、開口縁Ａ２０に遠い辺Ａ３２を折曲げ線Ａ３３をもって折曲げて、支持腕体Ａ２１を水平方向に突設している。
【０００４】
Ｃは開口部形状保持体であり、材質は上記側壁補強板Ａと同等なる厚紙からなり、側壁補強板Ａの略正方形の断面形状より一回り小さいところの略正方形なる外形形状にて、周縁部Ｃ１が環状に形成されて中央には収納開口穴Ｃ２が設けられている。なお、この開口部形状保持体Ｃを側壁補強板Ａの支持腕体Ａ２１に載置し、側壁補強板Ａの略正方形の断面形状を保持できるように、略正方形の開口部形状保持体Ｃの周縁部Ｃ１を側壁補強板Ａの開口部補強板Ａ１６に当接している。
【０００５】
上記のように構成された側壁補強板Ａの支持腕体Ａ２１の上に開口部形状保持体Ｃを載置し、この開口部形状保持体Ｃの周縁部Ｃ１に載置するところのＢは収納袋装着体であり、側壁補強板Ａの半分程度の厚さの厚紙からなる収納袋装着板Ｂ１と合成樹脂シートよりなる収納袋Ｄより構成される。収納袋装着板Ｂ１は開口部形状保持体Ｃと同等なる大きさの略正方形なる外形形状にて、中央には開口部形状保持体Ｃの収納開口穴Ｃ２と同等なる大きさの収納開口穴Ｂ２となるところのミシン目Ｂ３を配設している。また、この収納袋装着板Ｂ１の周縁部Ｂ４には折畳んだ収納袋Ｄの開口縁Ｄ１〜Ｄ４を接着剤にて接着しており、これらの組立時には、ミシン目Ｂ３を切開いて収納開口穴Ｂ２を形成し、折畳まれた収納袋Ｄを袋状に成形して側壁補強板Ａ内に装着している。
【０００６】
次に側壁補強板Ａの上部開口部Ａ１５を分割し、複数の収納袋Ｓを装着する場合、側壁補強板Ａと同等なる厚紙からなるＥは仕切板であり、側壁補強板Ａの対角線Ａ９に位置し、上部開口部Ａ１５に一対の略直角二等辺三角形なる分割上部開口部Ａ３４，Ａ３５を形成している。
また、開口部形状保持体Ｆは、上記分割しない場合の開口部形状保持体Ｃと同等であるが、この開口部形状保持体Ｆには、側壁補強板Ａの略直角二等辺三角形なる分割上部開口部Ａ３４，Ａ３５に対応して、対角線Ｆ１に対して左右に略直角二等辺三角形なる収納開口穴Ｆ２，Ｆ３が一対形成されている。
【０００７】
この開口部形状保持体Ｆには、収納袋装着体Ｊを一対載置している。この収納袋装着体Ｊは、上記分割しない場合の収納袋装着体Ｂと同等であるが、この収納袋装着体Ｊの外形形状および収納開口穴Ｊ１は、側壁補強板Ａの略直角二等辺三角形なる分割上部開口部Ａ３４，Ａ３５に対応してそれぞれ略直角二等辺三角形となっている。
【０００８】
上記の２分割する仕切板Ｅは、側壁補強板Ａの一方の対角線Ａ９の位置にて説明しているが、これに交差する他方の対角線Ａ１０であってもよい。また、一方の対角線Ａ９にて２分割された分割上部開口部Ａ３４，Ａ３５を更に他方の対角線Ａ１０に位置する仕切板にてそれぞれを分割し、この４分割された分割上部開口部に対応する収納開口穴をもつ開口部形状保持体を載置すれば、４分割された分割上部開口部に対応する外形形状および収納開口穴をもつ収納袋装着体が４個載置できることとなる。なお、２分割された一対の分割上部開口部Ａ３４，Ａ３５のうち、片方のみ更に分割するのであれば、３個の収納袋装着体が載置されることとなる。
【０００９】
【発明が解決しようとする課題】
従来の組立収納容器は上記のように構成されており、ゴミや廃品等にて満杯となり廃棄することとなる収納袋を側壁補強板の上方向より取出すには支持腕体に当たるため、側壁補強板を持ち上げて下方向より取出すこととなる。また、従来の収納袋装着体の収納袋の開口縁を接着剤で接着する作業は簡単ではなく、廃棄する場合においても、接着剤にて接着された収納袋を収納袋装着体より剥離する作業は、子供、年寄りには簡単とは言えない。
【００１０】
本発明は、従来のこのような問題点に鑑みてなされたものであり、その目的とするところは、廃棄する場合の収納袋を側壁補強板の上方向より簡単に取出される組立収納容器を提供し、また、収納袋が簡単に接合・分離できるところの収納袋装着体を提供しようとするものである。
【００１１】
【課題を解決するための手段】
本発明における組立収納容器の収納袋取出補助体は、小さなスペースでの保管・輸送が可能となるように、折畳みできるところの開閉自在なる折曲げ部をもって断面形状が可変なる筒状なものとし、廃棄する場合の収納袋を側壁補強板の上方向より簡単に取出すために、対応的凹凸部をもって互いに係合した開口部形状保持体の収納開口穴に貫通した収納袋取出補助体の開口部に収納袋を装着している。
また、複数の収納袋を装着する場合は、対応的凹凸部をもって互いに係合したところの仕切板を収納袋取出補助体内に付設し、この仕切板による収納袋取出補助体の分割開口部に、複数の収納袋を装着している。
【００１２】
また、本発明における組立収納容器の収納袋装着体は、収納袋の開口縁を接着剤にて接着する方法以外にて簡単に収納袋装着体に接合するために、収納袋の開口縁を収納袋装着体の周縁部に並設する収納袋係止板に巻込み、更に、その巻込んだ収納袋の開口縁を上記収納袋係止板に押圧するところの収納袋保持板を収納袋装着体に並設する。また、収納袋装着体より収納袋を簡単に分離するために、収納袋の開口縁を巻込んだ収納袋係止板に対する収納袋保持板による押圧状態を開放するところのミシン目を、収納袋装着体に配設している。
【００１３】
【発明の実施の形態】
（実施の形態１）
実施例について図面を参照して説明する。
図１〜図１１において、Ａは側壁補強板、Ｈは開口部形状保持体、Ｇは収納袋装着体で、Ｋの収納袋取出補助体を、対応的凹凸部をもって互いに係合した開口部形状保持体Ｈの収納開口穴Ｈ１に貫通しており、側壁補強板Ａは上記従来のものと同一のものである。
収納袋装着体Ｇは、従来の収納袋装着体Ｂと同等なる略正方形の外形形状とし、従来の収納袋装着板Ｂ１と同等の厚紙からなる収納袋装着板Ｇ１と、従来のものと同等なる収納袋Ｄより構成されている。
【００１４】
上記の収納袋装着板Ｇ１への収納袋Ｄの接合要領を説明する。
収納袋装着板Ｇ１は、略正方形なる収納袋重合板Ｇ２と、収納袋装着体Ｇの四辺Ｇ３〜Ｇ６のうちの一方の対向する二辺Ｇ４，Ｇ６に配設した収納袋係止板Ｇ７，Ｇ８および収納袋保持板Ｇ９，Ｇ１０と、他方の対向する二辺Ｇ３，Ｇ５に配設した重合補強板Ｇ１１，Ｇ１２より構成される。
まず、一方の対向する二辺Ｇ４，Ｇ６においては、先端部をそれぞれ折返して収納袋係止板Ｇ７，Ｇ８を並設し、この間に収納袋Ｄの開口縁Ｄ１〜Ｄ４のうちの対向する開口縁Ｄ２，Ｄ４をそれぞれ挿入している。更に、この収納袋係止板Ｇ７，Ｇ８が収納袋Ｄの開口縁Ｄ２，Ｄ４を挿入した状態にて巻込まれるように再度折返して、収納袋保持板Ｇ９，Ｇ１０を並設している。
次に、他方の対向する二辺Ｇ３，Ｇ５においては、先端部をそれぞれ折返して並設するところの重合補強板Ｇ１１，Ｇ１２を形成している。
なお、上記の対向する二辺Ｇ４，Ｇ６においては、それぞれの両端、すなわち収納袋装着体Ｇの四角Ｇ１３〜Ｇ１６付近にて３枚の収納袋重合板Ｇ２、収納袋係止板Ｇ７，Ｇ８、収納袋保持板Ｇ９，Ｇ１０は互いに接着剤にて接着している。
【００１５】
従って、３枚の収納袋重合板Ｇ２、収納袋係止板Ｇ７，Ｇ８、収納袋保持板Ｇ９，Ｇ１０の間に位置する収納袋Ｄの開口縁Ｄ２，Ｄ４は、収納袋係止板Ｇ７，Ｇ８を巻込んだ状態となると共に、収納袋保持板Ｇ９，Ｇ１０に押圧され、収納袋Ｄを収納袋装着板Ｇ１より引き離そうとしても、開口縁Ｄ２，Ｄ４が収納袋係止板Ｇ７，Ｇ８の先端部に係止されて収納袋装着板Ｇ１に接合されることとなる。なお、収納袋Ｄにおける開口縁Ｄ１，Ｄ３は、対向する二辺Ｇ３，Ｇ５に沿って重合しているだけであるが、この重合した収納袋Ｄの開口縁Ｄ１，Ｄ３は、それぞれの両端、すなわち上記収納袋係止板Ｇ７，Ｇ８、収納袋保持板Ｇ９，Ｇ１０に対向する開口縁Ｄ２，Ｄ４が接合されている限り弛むことはなく、収納袋Ｄの開口縁Ｄ１〜Ｄ４全てが収納袋装着板Ｇ１に接合されることとなる。
このようにして開口縁Ｄ１〜Ｄ４が接合された収納袋Ｄの筒体Ｄ５は、収納袋重合板Ｇ２の外形形状より一回り小さいところの大きさに複数回折返して折畳み、収納袋重合板Ｇ２に重合している。
【００１６】
収納袋装着体Ｇの収納袋重合板Ｇ２には、四辺Ｇ３〜Ｇ６のうちの対向する二辺Ｇ３，Ｇ５に平行する一対の分割線Ｇ１７，Ｇ１８を並設している。また、対向する二辺Ｇ４，Ｇ６にも平行するところの分割線Ｇ１９と折曲げ線Ｇ２０を並設しており、この分割線Ｇ１９は平行するところの上記分割線Ｇ１７，Ｇ１８の先端を結んで略コ字形分割線Ｇ２１を形成している。
また、上記略コ字形分割線Ｇ２１と折曲げ線Ｇ２０により形成される四辺形なる開口部閉塞板Ｇ２２は、この折曲げ線Ｇ２０をもって装着した収納袋Ｄの開口部Ｄ６を開閉自在に閉塞することとなり、ゴミや廃品等は、開口部閉塞板Ｇ２２を開放して、袋状に成形した収納袋Ｄの中に投入することとなる。
なお、略コ字形分割線Ｇ２１のうちの対向する２本の分割線Ｇ１７，Ｇ１８は、収納袋重合板Ｇ２の上記重合補強板Ｇ１１，Ｇ１２の折返し幅内に位置しており、これにより、上方向に開放しない場合の開口部閉塞板Ｇ２２は、重合補強板Ｇ１１，Ｇ１２に係止されて水平方向に保持されることとなる。
【００１７】
収納袋Ｄの分離要領について説明すると、収納袋重合板Ｇ２の略コ字形分割線Ｇ２１のうちの対向する２本の分割線Ｇ１７，Ｇ１８両端にミシン目Ｇ２３〜Ｇ２６を配設しており、このミシン目Ｇ２３〜Ｇ２６は収納袋Ｄの開口縁Ｄ２，Ｄ４を接合するところの収納袋装着体Ｇの対向する二辺Ｇ４，Ｇ６まで延長している。
従って、このミシン目Ｇ２３〜Ｇ２６を切り開くならば、収納袋重合板Ｇ２より開口部閉塞板Ｇ２２を除いたところの環状に形成された周縁部Ｇ２７〜Ｇ３０のうち、対向する二辺Ｇ４，Ｇ６に対応するところの上記ミシン目Ｇ２３とＧ２５、およびＧ２４とＧ２６の間の周縁部Ｇ２８，Ｇ３０は、対向する二辺Ｇ４，Ｇ６にて折曲げられてそれぞれ１８０度程度左右に開放され、収納袋保持板Ｇ９，Ｇ１０，と上記周縁部Ｇ２８，Ｇ３０は、並設された状態より一直線上に位置することとなり、これにより収納袋Ｄの開口縁Ｄ２，Ｄ４を収納袋係止板Ｇ７，Ｇ８に巻込んだ状態を押圧するものはなくなり、収納袋Ｄの開口縁Ｄ２，Ｄ４は収納袋係止板Ｇ７，Ｇ８に係止されることはなく、収納袋Ｄは収納袋装着板Ｇ１より簡単に分離されることとなる。
【００１８】
次に収納袋取出補助体Ｋは、側壁補強板Ａと同等の厚紙からなり、開口部形状保持体Ｈの収納開口穴Ｈ１を貫通できる略正方形なる断面形状にて、四角Ｋ１〜Ｋ４のうちの角Ｋ４にて接着剤で貼り合せて筒状にしている。また、この収納袋取出補助体Ｋは、四角Ｋ１〜Ｋ４に付けた折曲げ線Ｋ５〜Ｋ８以外に四辺Ｋ１１〜Ｋ１４のうち対向する二辺Ｋ１１，Ｋ１３に、四角Ｋ１〜Ｋ４の折曲げ線Ｋ５〜Ｋ８に平行してこれを二等分するところの折曲げ線Ｋ９，Ｋ１０を配設しており、これらの折曲げ線Ｋ５〜Ｋ１０にて折畳まれた状態より筒状に組立されたものであり、折畳みの手順は、まず、対向する二辺Ｋ１１，Ｋ１３をその二等分する折曲げ線Ｋ９，Ｋ１０をもってそれぞれ外側方向に折畳む。そして、四角Ｋ１〜Ｋ４を折曲げ線Ｋ５〜Ｋ８をもってそれぞれ内側方向に折畳む。よって、四辺Ｋ１１〜Ｋ１４のうち対向する二辺Ｋ１２，Ｋ１４の間に、この他の対向する二辺Ｋ１１，Ｋ１３が折畳まれ、小さなスペースでの保管・輸送が可能となる。
【００１９】
上記の収納袋取出補助体Ｋを貫通するところの収納開口穴Ｈ１を有する開口部形状保持体Ｈは上記従来のものと同等である。ただし、略正方形なる外形形状の四辺Ｈ２〜Ｈ５に対応して、収納開口穴Ｈ１を形成する位置の折曲げ線Ｈ６〜Ｈ９をもって、周縁部Ｈ１０と同等程度の幅にて収納開口穴補強板Ｈ１１〜Ｈ１４を付設しており、この環状に付設された収納開口穴補強板Ｈ１１〜Ｈ１４の四角をそれぞれを二等分するように分割線Ｈ１５〜Ｈ１８が配設されており、略正方形の収納開口穴Ｈ１に対応する４枚の収納開口穴補強板Ｈ１１〜Ｈ１４のうち、対向する２枚の収納開口穴補強板Ｈ１１，Ｈ１３のみ上記折曲げ線Ｈ６，Ｈ８をもって折返して開口部形状保持体Ｈの周縁部Ｈ１０と接着剤にて互いに接着している。
【００２０】
上記の開口部形状保持体Ｈへの収納袋取出補助体Ｋの接合要領を説明する。
収納袋取出補助体Ｋの上部開口部Ｋ１５に、開口部形状保持体Ｈの収納開口穴補強板Ｈ１１〜Ｈ１４と同等程度の幅にて折返し板Ｋ１６〜Ｋ１９を設けている。この折返し板Ｋ１６〜Ｋ１９は、上部開口部Ｋ１５の延長上の一部を、開口縁Ｋ２０にて収納袋取出補助体Ｋの外側方向に折返したものであり、収納袋取出補助体Ｋの四辺Ｋ１１〜Ｋ１４に対応する４枚の折返し板Ｋ１６〜Ｋ１９のうち、一方の対向する２枚の折返し板Ｋ１６，Ｋ１８のみ収納袋取出補助体Ｋと接着剤にて互いに接着している。また、接着してない他方の対向する２枚の折返し板Ｋ１７，Ｋ１９には上部開口部Ｋ１５の開口縁Ｋ２０に沿って長方形なる係合孔Ｋ２１，Ｋ２２を配設している。
この収納袋取出補助体Ｋの対向する折返し板Ｋ１７，Ｋ１９の一対の係合孔Ｋ２１，Ｋ２２に、上記開口部形状保持体Ｈの周縁部Ｈ１０に接着しないところの一対の収納開口穴補強板Ｈ１２，Ｈ１４をそれぞれ嵌入して、収納袋取出補助体Ｋと開口部形状保持体Ｈは係合され、収納袋取出補助体Ｋを開口部形状保持体Ｈの収納開口穴Ｈ１に貫通した状態が安定できることとなる。
【００２１】
従って、開口部形状保持体Ｈの収納開口穴Ｈ１に貫通したところの収納袋取出補助体Ｋの上部開口部Ｋ１５の開口縁Ｋ２０に、収納袋装着体Ｇを載置することとなり、収納袋Ｄは収納袋取出補助体Ｋ内に装着され、これより取出す時、側壁補強板Ａの支持腕体Ａ２１に当たることもなく、上方向より簡単に取出されることとなる。
なお、収納袋装着体Ｇを収納袋取出補助体Ｋの上部開口部Ｋ１５に載置するには、収納袋取出補助体Ｋの上部開口部Ｋ１５の開口縁Ｋ２０は、収納袋装着体Ｇの四辺Ｇ３〜Ｇ６に位置する収納袋保持板Ｇ９，Ｇ１０、重合補強板Ｇ１１，Ｇ１２に当接することとなるが、上記４枚の全てに当接する必要はなく、対向するところの収納袋保持板Ｇ９とＧ１０、または、重合補強板Ｇ１１とＧ１２の２枚に当接するだけで、ほぼ安定することとなる。また、収納袋重合板Ｇ２の対向する周縁部Ｇ２８とＧ３０に当接してもよい。
また、収納袋取出補助体Ｋの高さについては、載置した収納袋装着体Ｇが側壁補強板Ａの上部開口部Ａ１５内面に当接し、載置した状態が安定できるところの側壁補強板Ａの開口縁Ａ２０と、収納袋取出補助体Ｋの開口縁Ｋ２０の段差にて決定される。
【００２２】
収納袋装着体Ｇに関する実施例において、略コ字形分割線Ｇ２１と折曲げ線Ｇ２０により形成される開口部閉塞板Ｇ２２は、収納袋装着体Ｇの四辺Ｇ３〜Ｇ６の一方の対向する二辺Ｇ３，Ｇ５に平行するところの分割線と、この分割線間に位置して収納袋重合板Ｇ２を二等分するところの分割線による略Ｈ字形の分割線と、他方の対向する二辺Ｇ４，Ｇ６に平行するところの折曲げ線により形成される一対の開口部閉塞板にて、収納袋Ｄの開口部Ｄ６を開閉自在に閉塞してもよい。また、これらの開口部閉塞板の折曲げ線には、必要に応じて切開いてこの開口部閉塞板を除去できるところのミシン目を配設してもよい。
なお、上方向に開放しない場合の開口部閉塞板Ｇ２２は、収納袋重合板Ｇ２の重合補強板Ｇ１１，Ｇ１２に係止されているが、収納袋装着板Ｇ１の材質が復元自在なる弾性を有するならば重合補強板Ｇ１１，Ｇ１２に係止される必要はなく、分割線は重合補強板Ｇ１１，Ｇ１２の折返し幅内に位置しなくてもよい。従って、略コ字形分割線Ｇ２１は収納袋重合板Ｇ２の対角線を結ぶ略Ｘ字形の分割線であってもよい。
また、折返した重合補強板Ｇ１１，Ｇ１２のうち、収納袋重合板Ｇ２より開口部閉塞板Ｇ２２を除いた周縁部Ｇ２７，Ｇ２９とは、接着剤にて互いに接着して補強してもよい。
【００２３】
また、３枚の収納袋重合板Ｇ２、収納袋係止板Ｇ７，Ｇ８、収納袋保持板Ｇ９，Ｇ１０はそれぞれの両端にて互いに接着剤にて接着しているが、このうち収納袋係止板Ｇ７，Ｇ８と収納袋保持板Ｇ９，Ｇ１０の両端は必ずしも接着する必要はない。
また、折返された収納袋保持板Ｇ９，Ｇ１０と収納袋係止板Ｇ７，Ｇ８との間に収納袋Ｄの開口縁Ｄ２，Ｄ４は挿入されており、外観にては開口縁Ｄ２，Ｄ４を係止するための挿入量はわからない。そこで、この収納袋保持板Ｇ９，Ｇ１０と収納袋係止板Ｇ７，Ｇ８との折曲げ線Ｇ３１，Ｇ３２に分割線を付設し、この分割線の中に開口縁Ｄ２，Ｄ４を貫通させ挿入量が明確となるようにしてもよい。なお、上記のように収納袋保持板Ｇ９，Ｇ１０と収納袋係止板Ｇ７，Ｇ８を分割するのであれば、実施例のように最初に収納袋装着板Ｇ１先端部を折返す前に、実施例における収納袋係止板Ｇ７，Ｇ８の位置にてこの分割した収納袋係止板を収納袋装着板Ｇ１に両端を接着し、この間に収納袋Ｄの開口縁Ｄ２，Ｄ４を貫通し、この開口縁Ｄ２，Ｄ４と共に収納袋装着板Ｇ１の先端部を折返し、これを収納袋保持板として収納袋係止板を巻込んだ状態となる開口縁Ｄ２，Ｄ４を押圧するようにしてもよい。
【００２４】
また、収納袋Ｄの筒体Ｄ５は略正方形に折畳んで収納袋重合板Ｇ２に重合しているが、収納袋Ｄの開口縁Ｄ２，Ｄ４が接合された収納袋装着体Ｇの対向する二辺Ｇ４，Ｇ６方向に位置する折畳んだ筒体Ｄ５の周縁部は、この収納袋重合板Ｇ２と収納袋係止板Ｇ７，Ｇ８との間にそれぞれ挿入し、重合した状態を安定するようにしてもよい。
また、収納袋装着体Ｇは略正方形の外形形状としているが、この収納袋装着体Ｇを、市販の大きさの違うゴミ箱に載置したい場合は、大きさの違う略正方形または円形等の必要とする外形形状の厚紙のものを、収納袋重合板Ｇ２に接着剤にて接着すればよい。この時、この大きさの違う厚紙のものには、開口部閉塞板Ｇ２２が上方向に開放でき、収納袋Ｄを分離するためのミシン目Ｇ２３〜Ｇ２６が切開かれることのできる開口穴または分割線を設ける必要がある。
【００２５】
開口部形状保持体Ｈおよび収納袋取出補助体Ｋに関する実施例において、開口部形状保持体Ｈの収納開口穴補強板Ｈ１１〜Ｈ１４、および、収納袋取出補助体Ｋの折返し板Ｋ１６〜Ｋ１９の幅は、開口部形状保持体Ｈの周縁部Ｈ１０の幅と同等程度としているが、この周縁部Ｈ１０の幅に限定するものではなく、開口部形状保持体Ｈと収納袋取出補助体Ｋとの係合状態が安定できればよい。
また、開口部形状保持体Ｈの四辺Ｈ２〜Ｈ５のうち、一方の対向する二辺Ｈ２，Ｈ４のみ収納開口穴補強板Ｈ１１，Ｈ１３が折返され互いに接着して補強された状態となっているが、他方の対向する二辺Ｈ３，Ｈ５も補強するために、二辺Ｈ３，Ｈ５の周縁部Ｈ１０をそれぞれ延長し、この二辺Ｈ３，Ｈ５の位置にて折返して互いに接着してもよい。なお、収納開口穴補強板Ｈ１１，Ｈ１３が折返され互いに接着された二辺Ｈ２，Ｈ４においても、上記のように二辺Ｈ２，Ｈ４の周縁部Ｈ１０をそれぞれ延長し、この二辺Ｈ２，Ｈ４の位置にて折返して互いに接着してもよい。
【００２６】
また、下部開口部Ｋ２３において、上部開口部Ｋ１５の折返し板Ｋ１６〜Ｋ１９と同等な要領にて折返し板を付設し、収納袋取出補助体Ｋと互いに接着剤にて接着して下部開口部Ｋ２３の補強としてもよい。ただし、折返し板Ｋ１６〜Ｋ１９の係合孔Ｋ２１，Ｋ２２と同等なるものは不要である。
なお、収納袋取出補助体Ｋの折返し板Ｋ１６〜Ｋ１９がなくても収納袋取出補助体Ｋの上部開口部Ｋ１５の開口縁Ｋ２０に必要とする強度が得られるならば、折返し板Ｋ１６〜Ｋ１９を除去してもよい。ただし、開口部形状保持体Ｈと係合するための係合孔Ｋ２１，Ｋ２２を有する折返し板Ｋ１７，Ｋ１９と同等なるものを、個別部品として収納袋取出補助体Ｋに接着剤にて接着する必要はある。この時、この折返し板Ｋ１７，Ｋ１９と同等なる個別部品をプラスチックにて射出成形し、これに付設した凹状の被係止溝に収納袋取出補助体Ｋを嵌入して係合するようにしてもよい。
また、開口部形状保持体Ｈにおいても、収納開口穴補強板Ｈ１１〜Ｈ１４を除去し、収納袋取出補助体Ｋと係合するための収納開口穴補強板Ｈ１２，Ｈ１４と同等なるものは個別部品とし、開口部形状保持体Ｈに接着剤にて接着してもよい。この時、収納開口穴補強板Ｈ１２，Ｈ１４と同等なる個別部品をプラスチックにて射出成形し、これに付設した凹状の被係止溝に開口部形状保持体Ｈを嵌入して係合するようにしてもよい。また、この収納開口穴補強板Ｈ１２，Ｈ１４と同等なる個別部品と開口部形状保持体Ｈを、プラスチックにて一体に射出成形してもよい。
【００２７】
また、収納袋取出補助体Ｋにおいて、略正方形なる断面形状の筒状に成形する四辺Ｋ１１〜Ｋ１４の折畳み要領は、側壁補強板Ａの折畳み要領と同等であってもよいが、収納袋取出補助体Ｋは組立後には外観より見えることはないので、対向する二辺Ｋ１１，Ｋ１３に折畳むための二等分する折曲げ線Ｋ９，Ｋ１０を配設している。なお、四辺Ｋ１１〜Ｋ１４のうち、折畳むための二等分する折曲げ線Ｋ９，Ｋ１０のない二辺に収納開口穴補強板Ｈ１２，Ｈ１４を嵌入する係合孔Ｋ２１，Ｋ２２がある場合は、一対の収納開口穴補強板Ｈ１２，Ｈ１４のうちの片方の収納開口穴補強板だけを収納袋取出補助体Ｋに接着しておいても折畳みには支障はない。
なお、上記の折畳み要領は、折畳んだ状態の面積をできるだけ小さくするためのものであり、この面積が大きくてもよいのであれば、側壁補強板Ａの折畳み手順の最初の段階のように、一方の対角線上に対向する角を内側方向に折畳み、他方の対角線上に対向する角は外側方向に開放した状態だけでもよい。
【００２８】
また、開口部形状保持体Ｈは収納袋取出補助体Ｋの上部開口部Ｋ１５に設けているが、同様な要領にて下部開口部Ｋ２３にも設けるならば、側壁補強板Ａおよび収納袋取出補助体Ｋの断面形状はより安定することとなる。
また、開口部形状保持体Ｈの収納開口穴補強板Ｈ１１〜Ｈ１４と同等なるものを開口部形状保持体Ｈの四辺Ｈ２〜Ｈ５に付設し、これに対応するところの収納袋取出補助体Ｋの係合孔Ｋ２１，Ｋ２２と同等なるものを側壁補強板Ａの開口部補強板Ａ１６に付設し、これらを係合して開口部形状保持体Ｈをより確実に保持するようにしてもよい。
また、開口部形状保持体Ｈと収納袋取出補助体Ｋの開口縁Ｋ２０の高さに段差がある場合、開口部形状保持体Ｈと収納袋取出補助体Ｋを係合しなくても、収納袋取出補助体Ｋは開口部形状保持体Ｈの収納開口穴Ｈ１内にある程度保持できるものであり、従って、開口部形状保持体Ｈを従来のものと同一のものとし、この収納開口穴Ｃ２に、上部開口部Ｋ１５の折返し板Ｋ１６〜Ｋ１９を除去したところの収納袋取出補助体を貫通してもよい。
【００２９】
また、収納袋の装着において、実施例のように収納袋Ｄを折畳んだ収納袋装着体Ｇを載置するのではなく、収納袋装着体Ｇに接合しないところの市販の収納袋を収納袋取出補助体Ｋ内に装着し、この収納袋の開口縁を収納袋取出補助体Ｋの開口縁Ｋ２０を巻き込むように直接取付けてもよい。
また、市販の収納袋を直接取付ける場合、開口部形状保持体Ｈと収納袋取出補助体Ｋの開口縁Ｋ２０の高さに段差が無くてこれが同一であっても問題はなく、開口部形状保持体Ｈの周縁部Ｈ１０に、側壁補強板Ａの断面形状を略正方形に保持し、かつ、貫通した収納袋取出補助体Ｋと対応的凹凸部をもって互いに係合する状態が不安定にならない程度の切欠部を設け、この切欠部内に収納袋の開口縁を挿入してもよい。
また、収納袋取出補助体Ｋの内側に並設するところの略四辺形の厚紙を設け、この厚紙の下辺のみ収納袋取出補助体Ｋと接着剤にて互いに接着し、この厚紙の上辺と収納袋取出補助体Ｋの間に収納袋の開口縁を挟着してもよい。
また、市販の収納袋を直接取付ける場合、取付けた収納袋の開口縁が見えないように、開口部形状保持体Ｈの上に従来の開口部形状保持体Ｃと同等なるものを載置し、外観上見苦しくないようにしてもよい。
【００３０】
また、側壁補強板Ａには開口部形状保持体Ｈを載置するための支持腕体Ａ２１が突設されているが、開口部形状保持体Ｈは収納袋取出補助体Ｋに係合されており、側壁補強板Ａの支持腕体Ａ２１は必ずしも必要なものとはならず、これを除去しても問題はない。この時、側壁補強板Ａの上部開口部Ａ１５の開口部補強板Ａ１６においても、この折返しがなくても上部開口部Ａ１５の開口縁Ａ２０に必要とする強度が得られるならば、開口部補強板Ａ１６を除去しても問題のないことは言うまでもない。
【００３１】
（実施の形態２）
図１２〜図１９において、上記実施の形態１における側壁補強板Ａの上部開口部Ａ１５に２枚の収納袋Ｔを装着する場合の実施例であり、開口部形状保持体Ｈと実施の形態１と同等な要領にて互いに係合した収納袋取出補助体Ｌ内に仕切板Ｍを付設し、これによる側壁補強板Ａの一対の分割上部開口部Ａ３６，Ａ３７に２個の収納袋装着体Ｎを載置しており、側壁補強板Ａ、開口部形状保持体Ｈは実施の形態１のものと同一のものである。
【００３２】
側壁補強板Ａと同等な厚紙よりなる仕切板Ｍは、側壁補強板Ａの上部開口部Ａ１５の開口縁Ａ２０とほぼ同等の高さとしている。
また、仕切板Ｍのうち、収納袋取出補助体Ｌ内に配設されるところの長方形体Ｍ１に対して、上辺Ｍ２の両端には一対の張出部Ｍ３，Ｍ４を配設しており、この四辺形からなる張出部Ｍ３，Ｍ４の縦辺となる高さ寸法Ｍ５，Ｍ６は、収納袋取出補助体Ｌに係合された開口部形状保持体Ｈと、側壁補強板Ａの開口縁Ａ２０との段差より決定され、また、張出部Ｍ３，Ｍ４の横辺となる幅寸法Ｍ７，Ｍ８は、開口部形状保持体Ｈの周縁部Ｈ１０の幅とほぼ同等としている。従って、仕切板Ｍの上辺Ｍ２幅寸法Ｍ９は、開口部形状保持体Ｈの四辺Ｈ２〜Ｈ５とほぼ同等なものとなっている。
【００３３】
収納袋取出補助体Ｌは実施の形態１における収納袋取出補助体Ｋと同等であり、四角Ｌ１〜Ｌ４、折曲げ線Ｌ５〜Ｌ１０、四辺Ｌ１１〜Ｌ１４、上部開口部Ｌ１５、折返し板Ｌ１６〜Ｌ１９、開口縁Ｌ２０、係合孔Ｌ２１，Ｌ２２、下部開口部Ｌ２３は、実施の形態１における収納袋取出補助体Ｋの四角Ｋ１〜Ｋ４、折曲げ線Ｋ５〜Ｋ１０、四辺Ｋ１１〜Ｋ１４、上部開口部Ｋ１５、折返し板Ｋ１６〜Ｋ１９、開口縁Ｋ２０、係合孔Ｋ２１，Ｋ２２、下部開口部Ｋ２３にそれぞれ相当するものである。
ただし、折畳むための二等分する折曲げ線Ｌ９，Ｌ１０を有する対向する二辺Ｌ１１，Ｌ１３においては、この二等分する折曲げ線Ｌ９，Ｌ１０上の上部開口部Ｌ１５の開口縁Ｌ２０に、一対の係合溝Ｌ２４，Ｌ２５を配設している。この係合溝Ｌ２４，Ｌ２５の大きさは、上記仕切板Ｍの板厚が嵌入できる幅寸法Ｌ２６と、係合された開口部形状保持体Ｈと、収納袋取出補助体Ｌの上部開口部Ｌ１５の開口縁Ｌ２０との段差よりなる高さ寸法Ｌ２７により決定されている。
【００３４】
従って、仕切板Ｍ上辺Ｍ２の両端の張出部Ｍ３，Ｍ４を、収納袋取出補助体Ｌ上部開口部Ｌ１５の開口縁Ｌ２０の対向する係合溝Ｌ２４，Ｌ２５に嵌入させることにより、仕切板Ｍは収納袋取出補助体Ｌを二等分すると共に、側壁補強板Ａにおける略正方形なる上部開口部Ａ１５に対して、二等分するところの一対の分割上部開口部Ａ３６，Ａ３７を形成することとなり、これに対応するところの一対の収納袋装着体Ｎをそれぞれ載置している。
【００３５】
収納袋装着体Ｎは、実施の形態１における収納袋装着体Ｇと同等であり、収納袋装着板Ｎ１、収納袋重合板Ｎ２、四辺Ｎ３〜Ｎ６、収納袋係止板Ｎ７，Ｎ８、収納袋保持板Ｎ９，Ｎ１０、重合補強板Ｎ１１，Ｎ１２、四角Ｎ１３〜Ｎ１６、分割線Ｎ１７〜Ｎ１９、折曲げ線Ｎ２０，Ｎ３１，Ｎ３２、略コ字形分割線Ｎ２１、開口部閉塞板Ｎ２２、ミシン目Ｎ２３〜Ｎ２６、周縁部Ｎ２７〜Ｎ３０は、実施の形態１における収納袋装着板Ｇ１、収納袋重合板Ｇ２、四辺Ｇ３〜Ｇ６、収納袋係止板Ｇ７，Ｇ８、収納袋保持板Ｇ９，Ｇ１０、重合補強板Ｇ１１，Ｇ１２、四角Ｇ１３〜Ｇ１６、分割線Ｇ１７〜Ｇ１９、折曲げ線Ｇ２０，Ｇ３１，Ｇ３２、略コ字形分割線Ｇ２１、開口部閉塞板Ｇ２２、ミシン目Ｇ２３〜Ｇ２６、周縁部Ｇ２７〜Ｇ３０にそれぞれ相当するものである。
ただし、収納袋装着体Ｎの外形形状は側壁補強板Ａの一対の分割上部開口部Ａ３６，Ａ３７に対応して長方形となっており、四辺Ｇ３〜Ｇ６のうちの対向する短辺Ｎ４，Ｎ６の長さは、実施の形態１の略正方形なる収納袋装着体Ｇの二辺Ｇ４，Ｇ６のほぼ半分の長さとなっている。また、長方形なる収納袋装着体Ｎの外形形状に対応して、開口部閉塞板Ｎ２２も外形形状は長方形となっている。
また、収納袋Ｔの収納容積の大きさも、実施の形態１の収納袋Ｄのものより、ほぼ半分程度のものとなっている。
【００３６】
従って、収納袋取出補助体Ｌ内に仕切板Ｍを付設し、収納袋取出補助体Ｌに形成される一対の分割開口部Ｌ３０，Ｌ３１の分割開口縁Ｌ３２，Ｌ３３に、側壁補強板Ａの一対の分割上部開口部Ａ３６，Ａ３７に対応する外形形状の一対の収納袋装着体Ｎを載置することとなり、２枚の収納袋Ｔは収納袋取出補助体Ｌ内にそれぞれ装着され、これより取出す時、側壁補強板Ａの支持腕体Ａ２１に当たることもなく、上方向より簡単に取出されることとなる。
【００３７】
実施例において、仕切板Ｍと収納袋取出補助体Ｌは、上部開口部Ｌ１５においては張出部Ｍ３，Ｍ４と係合溝Ｌ２４，Ｌ２５により互いに係合しているが、下部開口部Ｌ２３においては互いに係合していない。従って、仕切板Ｍの下辺Ｍ１０付近にも一対の張出部を配設し、これに対応する係合溝を収納袋取出補助体Ｌの対向する二辺Ｌ１１，Ｌ１３の二等分する折曲げ線Ｌ９，Ｌ１０上に配設して、これらを係合して仕切板Ｍが収納袋取出補助体Ｌ内に付設した状態が安定するようにしてもよい。また、上辺Ｍ２の延長上の一部を折返して互いに接着剤にて接着し上辺Ｍ２の補強としてもよい。なお、これらの下辺Ｍ１０付近の一対の張出部や、上辺Ｍ２の折返しは１枚の厚紙より構成する必要はなく、個別部品として接着剤にて接着してもよい。
【００３８】
また、実施例の１枚の仕切板Ｍは、一対の係合溝Ｌ２４，Ｌ２５に対応して略正方形なる断面形状の収納袋取出補助体Ｌを２分割しているが、収納袋取出補助体Ｌの上部開口部Ｌ１５の開口縁Ｌ２０に、実施例の係合溝Ｌ２４，Ｌ２５と同等なる対向する係合溝を増やし、これに対応する仕切板を増やすならば、分割数も増やすことができ、分割された側壁補強板Ａの分割上部開口部に対応するところの外形形状よりなる複数の収納袋装着体をそれぞれ載置すればよい。
また、収納袋取出補助体Ｌを仕切板Ｍにて分割して複数の収納袋Ｔを装着しているが、側壁補強板Ａの分割上部開口部に対応する複数の収納開口穴を有する開口部形状保持体に、複数の収納袋取出補助体を貫通させ、複数の収納袋を装着するようにしてもよい。
また、収納袋Ｔを折畳んだ収納袋装着体Ｎを載置するのではなく、実施の形態１で述べたように市販の収納袋を直接取付ける場合、仕切板Ｍに並設するところの略四辺形の厚紙を設け、この厚紙の下辺のみ仕切板Ｍと接着剤にて互いに接着し、この厚紙の上辺と仕切板Ｍの間に収納袋の開口縁を挟着してもよい。
【００３９】
（実施の形態３）
図２０〜図２６において、上記実施の形態１における側壁補強板Ａ、開口部形状保持体Ｈ、収納袋取出補助体Ｋ、収納袋装着体Ｇのうち、収納袋取出補助体Ｒに突設した角部補強片Ｒ２４〜Ｒ２７にて開口部形状保持体Ｐを保持しており、側壁補強板Ａ、収納袋装着体Ｇは実施の形態１のものと同一のものである。
【００４０】
収納袋取出補助体Ｒは、実施の形態１における収納袋取出補助体Ｋと同等であり、四角Ｒ１〜Ｒ４、折曲げ線Ｒ９、Ｒ１０、四辺Ｒ１１〜Ｒ１４、上部開口部Ｒ１５、折返し板Ｒ１６〜Ｒ１９、開口縁Ｒ２０、下部開口部Ｒ２３は、実施の形態１における収納袋取出補助体Ｋの四角Ｋ１〜Ｋ４、折曲げ線Ｋ９、Ｋ１０、四辺Ｋ１１〜Ｋ１４、上部開口部Ｋ１５、折返し板Ｋ１６〜Ｋ１９、開口縁Ｋ２０、下部開口部Ｋ２３にそれぞれ相当するものである。
ただし、収納袋取出補助体Ｒの上部開口部Ｒ１５から下部開口部Ｒ２３まで、四角Ｒ１〜Ｒ４に沿って角部補強片Ｒ２４〜Ｒ２７を突設している。
この角部補強片Ｒ２５、Ｒ２６、Ｒ２４、Ｒ２７の構造は、まず四辺Ｒ１１〜Ｒ１４のうちの一方の対向する二辺Ｒ１２，Ｒ１４のそれぞれの両端の角Ｒ２とＲ３、およびＲ１とＲ４の延長上を、開口部形状保持体Ｐの周縁部Ｐ１０の幅とほぼ同等の幅寸法Ｒ２８にて折返し、次に四角Ｒ２、Ｒ３、Ｒ１、Ｒ４に位置する折曲げ線Ｒ５〜Ｒ８にて略直角に折曲げて、他方の対向する二辺Ｒ１１、Ｒ１３にそれぞれ連続している。なお、この角部補強片Ｒ２４〜Ｒ２７の折重ねられた延長部分Ｒ３４〜Ｒ３７と折返し部分Ｒ３８〜Ｒ４１は接着剤にて互いに接着している。また、実施の形態１で述べたように対向する二辺Ｒ１１、Ｒ１３をそれぞれ二等分する折曲げ線Ｒ９、Ｒ１０をもって外側方向に折畳み、四角Ｒ１〜Ｒ４を折曲げ線Ｒ７、Ｒ５、Ｒ６、Ｒ８をもってそれぞれ内側方向に折畳むならば、一方の対向する二辺Ｒ１１、Ｒ１３は、他方の対向する二辺Ｒ１２，Ｒ１４の間に折畳まれることとなる。
【００４１】
角部補強片Ｒ２４〜Ｒ２７の上部の四角には、同等なる大きさの四辺形の切欠部Ｒ３３をそれぞれ設けている。この切欠部Ｒ３３の幅寸法Ｒ２９は、角部補強片Ｒ２４〜Ｒ２７の幅寸法Ｒ２８のほぼ半分程度としており、従って、角部補強片Ｒ２４〜Ｒ２７の上辺Ｒ３０は角部補強片Ｒ２４〜Ｒ２７の幅寸法Ｒ２８のほぼ半分程度となるとともに、開口部形状保持体Ｐの周縁部Ｐ１０の幅のほぼ半分程度となっている。なお、この切欠部Ｒ３３により形成される上記上辺Ｒ３０に平行して一段低くなるところの切欠横辺Ｒ３１には、開口部形状保持体Ｐの周縁部Ｐ１０を載置することとなるため、この切欠部Ｒ３３の高さ寸法Ｒ３２は、収納袋取出補助体Ｒの上部開口部Ｒ１５の開口縁Ｒ２０と開口部形状保持体Ｐの段差にて決定されることとなる。
また、角部補強片Ｒ２４〜Ｒ２７の上部の延長部分Ｒ３４〜Ｒ３７と折返し部分Ｒ３８〜Ｒ４１には、収納袋取出補助体Ｒの四辺Ｒ１１〜Ｒ１４に対応する折返し板Ｒ１６〜Ｒ１９と同等な要領にて、折返し板Ｒ４２〜Ｒ４５、Ｒ４６〜Ｒ４９を設けており、上記切欠部Ｒ３３はこれらの折返し板Ｒ４２〜Ｒ４９とともに切欠きしている。
また、折返し板Ｒ１６〜Ｒ１９は収納袋取出補助体Ｒと接着剤にて互いに接着し、折返し板Ｒ４２〜Ｒ４９は延長部分Ｒ３４〜Ｒ３７および折返し部分Ｒ３８〜Ｒ４１と接着剤にて互いに接着している。なお、折返し板Ｒ１６〜Ｒ１９において、実施の形態１における係合孔Ｋ２１，Ｋ２２は不要である。
【００４２】
開口部形状保持体Ｐは実施の形態１における開口部形状保持体Ｈと同等であり、収納開口穴Ｐ１、四辺Ｐ２〜Ｐ５、折曲げ線Ｐ６〜Ｐ９、周縁部Ｐ１０、収納開口穴補強板Ｐ１１〜Ｐ１４、分割線Ｐ１５〜Ｐ１８は、実施の形態１における開口部形状保持体Ｈの収納開口穴Ｈ１、四辺Ｈ２〜Ｈ５、折曲げ線Ｈ６〜Ｈ９、周縁部Ｈ１０、収納開口穴補強板Ｈ１１〜Ｈ１４、分割線Ｈ１５〜Ｈ１８にそれぞれ相当するものである。
ただし、収納開口穴Ｐ１に対応する４枚の収納開口穴補強板Ｐ１１〜Ｐ１４の全てを、実施の形態１における対向する２枚の収納開口穴補強板Ｈ１１，Ｈ１３のように、折返して周縁部Ｐ１０と接着剤にて互いに接着している。
また、収納開口穴Ｐ１の四角Ｐ１９〜Ｐ２２には、収納開口穴Ｐ１の四辺Ｐ２３〜Ｐ２６のうちの対向する二辺Ｐ２４，Ｐ２６に沿って、上記収納袋取出補助体Ｒの角部補強片Ｒ２４〜Ｒ２７のそれぞれの上辺Ｒ３０が嵌入できるところの係合溝Ｐ２７〜Ｐ３０を付設している。
【００４３】
従って、開口部形状保持体Ｐの周縁部Ｐ１０は、収納袋取出補助体Ｒの四角Ｒ１〜Ｒ４に突設した角部補強片Ｒ２４〜Ｒ２７の上部のそれぞれの切欠横辺Ｒ３１に載置されると共に、同様に突設した角部補強片Ｒ２４〜Ｒ２７のそれぞれの上辺Ｒ３０が、開口部形状保持体Ｐの収納開口穴Ｐ１の四角Ｐ１９〜Ｐ２２の係合溝Ｐ２７〜Ｐ３０に嵌入され、収納袋取出補助体Ｒと開口部形状保持体Ｐは係合され、収納袋取出補助体Ｒを開口部形状保持体Ｐの収納開口穴Ｐ１に貫通した状態が安定できることとなる。
【００４４】
実施例において、角部補強片Ｒ２４〜Ｒ２７に折返し板Ｒ４２〜Ｒ４９がなくても、延長部分Ｒ３４〜Ｒ３７および折返し部分Ｒ３８〜Ｒ４１に必要とする強度が得られるならば、折返し板Ｒ４２〜Ｒ４９を除去してもよい。
また、角部補強片Ｒ２４〜Ｒ２７の下部において、上部の折返し板Ｒ４２〜Ｒ４９と同等な折返し板を付設し、延長部分Ｒ３４〜Ｒ３７および折返し部分Ｒ３８〜Ｒ４１と接着剤にて互いに接着して下部の補強としてもよい。
また、収納袋取出補助体Ｒの上部開口部Ｒ１５から下部開口部Ｒ２３まで四角Ｒ１〜Ｒ４に沿って角部補強片Ｒ２４〜Ｒ２７を突設しているが、開口部形状保持体Ｐを係合するために必要とする切欠横辺Ｒ３１と上辺Ｒ３０を形成するところのものを、収納袋取出補助体Ｒの上部開口部Ｒ１５付近だけに個別部品として接着剤にて接着してもよい。この時、この切欠横辺Ｒ３１と上辺Ｒ３０を形成するところの個別部品をプラスチックにて射出成形し、これに付設した凹状の被係止溝に収納袋取出補助体Ｒの四角Ｒ１〜Ｒ４を嵌入して係合するようにしてもよい。
また、開口部形状保持体Ｐにおいて、４枚の収納開口穴補強板Ｐ１１〜Ｐ１４を折返して周縁部Ｐ１０と互いに接着しているが、収納開口穴補強板Ｐ１１〜Ｐ１４がなくても開口部形状保持体Ｐに必要とする強度が得られるならば、収納開口穴補強板Ｐ１１〜Ｐ１４を除去してもよい。
【００４５】
また、複数の収納袋を装着する場合は、実施の形態２における仕切板Ｍと同等なる仕切板を、実施の形態２における収納袋取出補助体Ｌの係合溝Ｌ２４，Ｌ２５と同等なる係合溝を付設した収納袋取出補助体Ｒに係合し、これによる分割開口部に、実施の形態２における収納袋装着体Ｎと同等なる収納袋装着体を載置すればよい。
また、開口部形状保持体Ｐは収納袋取出補助体Ｒに係合されており、実施の形態１で述べたように側壁補強板Ａの支持腕体Ａ２１は必ずしも必要なものとはならず、これを除去してもよいが、支持腕体Ａ２１は収納袋取出補助体Ｒの角部補強片Ｒ２４〜Ｒ２７に当接しない位置としていることは言うまでもない。
【００４６】
【発明の効果】
本発明は、上述のとおり構成されているので、次に記載する効果を奏でる。
【００４７】
請求項１の組立収納容器の収納袋取出補助体においては、、折畳みできるところの開閉自在なる折曲げ部をもって断面形状が可変なる筒状なものとしているので、小さなスペースでの保管・輸送が可能となると共に、開口部形状保持体と対応的凹凸部をもって互いに係合し、その開口部形状保持体の収納開口穴に貫通した収納袋取出補助体の開口部に収納袋を装着しているので、装着した収納袋を側壁補強板の上方向より簡単に取出すことができる。
また、対応的凹凸部をもって互いに係合したところの仕切板を収納袋取出補助体内に付設しているので、この仕切板による収納袋取出補助体の分割開口部に、複数の収納袋を装着し簡単に取出すことができる。
【００４８】
請求項２の組立収納容器の収納袋装着体においては、収納袋の開口縁を収納袋装着体の周縁部に並設する収納袋係止板に巻込み、その巻込んだ収納袋の開口縁を収納袋係止板に押圧するところの収納袋保持板を、収納袋装着体に並設しているので、収納袋を接着剤にて接着する方法以外にて簡単に収納袋装着体に接合することができる。また、収納袋の開口縁を巻込んだ収納袋係止板に対する収納袋保持板による押圧状態を開放するところのミシン目を、収納袋装着体に配設しているので、このミシン目を切開いて収納袋装着体より収納袋を簡単に分離することができる。
【００４９】
【図面の簡単な説明】
【図１】本発明の実施の形態１である収納袋装着体の平面図である。
【図２】本発明の実施の形態１である収納袋装着体の正面側よりみた要部断面図である。
【図３】本発明の実施の形態１である収納袋装着体の側面側よりみた要部断面図である。
【図４】本発明の実施の形態１である組立てられた収納袋取出補助体の上方側よりみた要部断面図である。
【図５】本発明の実施の形態１である折畳まれた収納袋取出補助体の上方側よりみた要部断面図である。
【図６】本発明の実施の形態１である組立てられた収納袋取出補助体の正面側よりみた要部断面図である。
【図７】本発明の実施の形態１である開口部形状保持体の平面図である。
【図８】本発明の実施の形態１である開口部形状保持体の正面側よりみた要部断面図である。
【図９】本発明の実施の形態１である開口部形状保持体の側面側よりみた要部断面図である。
【図１０】本発明の実施の形態１である開口部形状保持体の展開図である。
【図１１】本発明の実施の形態１である組立てられた組立収納容器の要部断面図である。
【図１２】本発明の実施の形態２である組立てられた収納袋取出補助体の上方側よりみた要部断面図である。
【図１３】本発明の実施の形態２である組立てられた収納袋取出補助体の正面図である。
【図１４】本発明の実施の形態２である組立てられた収納袋取出補助体の正面側よりみた要部断面図である。
【図１５】本発明の実施の形態２である収納袋装着体の平面図である。
【図１６】本発明の実施の形態２である収納袋装着体の正面側よりみた要部断面図である。
【図１７】本発明の実施の形態２である収納袋装着体の側面側よりみた要部断面図である。
【図１８】本発明の実施の形態２である仕切板の正面図である。
【図１９】本発明の実施の形態２である組立てられた組立収納容器の要部断面図である。
【図２０】本発明の実施の形態３である組立てられた収納袋取出補助体の上方側よりみた要部断面図である。
【図２１】本発明の実施の形態３である組立てられた収納袋取出補助体の正面図である。
【図２２】本発明の実施の形態３である組立てられた収納袋取出補助体の側面側よりみた要部断面図である。
【図２３】本発明の実施の形態３である開口部形状保持体の平面図である。
【図２４】本発明の実施の形態３である開口部形状保持体の要部断面図である。
【図２５】本発明の実施の形態３である開口部形状保持体の展開図である。
【図２６】本発明の実施の形態３である組立てられた組立収納容器の要部断面図である。
【図２７】従来の組立てられた側壁補強板の上方側からみた断面図である。
【図２８】従来の折畳まれた側壁補強板の上方側からみた断面図である。
【図２９】従来の開口部形状保持体の平面図である。
【図３０】従来の収納袋装着体の平面図である。
【図３１】従来の収納袋装着体の要部断面図である。
【図３２】従来の組立てられた組立収納容器の要部断面図である。
【図３３】従来の収納袋を袋状としない状態の収納袋装着体と開口部形状保持体を載置したところの組立収納容器の分解斜視図である。
【図３４】従来の組立てられた複数の収納袋を装着する組立収納容器の要部断面図である。
【図３５】従来の収納袋を袋状としない状態の複数の収納袋装着体と開口部形状保持体を載置したところの組立収納容器の分解斜視図である。
【符号の説明】
Ａ      側壁補強板
Ａ１〜Ａ４，Ｇ１３〜Ｇ１６，Ｋ１〜Ｋ４，Ｌ１〜Ｌ４
Ｎ１３〜Ｎ１６，Ｐ１９〜Ｐ２２，Ｒ１〜Ｒ４              四角
Ａ５〜Ａ８，Ａ３３，Ｇ２０，Ｇ３１，Ｇ３２，Ｋ５〜
Ｋ８，Ｋ９，Ｋ１０，Ｌ５〜Ｌ８，Ｌ９，Ｌ１０，Ｈ６
〜Ｈ９，Ｎ２０，Ｎ３１，Ｎ３２，Ｐ６〜Ｐ９，Ｒ５〜
Ｒ８，Ｒ９，Ｒ１０                                      折曲げ線
Ａ９，Ａ１０，Ｆ１      対角線
Ａ１１〜Ａ１４，Ａ２９〜Ａ３２，Ｇ３〜Ｇ６，Ｈ２〜
Ｈ５，Ｋ１１〜Ｋ１４，Ｌ１１〜Ｌ１４，Ｎ３〜Ｎ６
Ｐ２〜Ｐ５，Ｐ２３〜Ｐ２６，Ｒ１１〜Ｒ１４              四辺
Ａ１５，Ｋ１５，Ｌ１５，Ｒ１５      上部開口部
Ａ１６      開口部補強板
Ａ２０，Ｄ１〜Ｄ４，Ｋ２０，Ｌ２０，Ｒ２０      開口縁
Ａ２１      支持腕体
Ａ３４〜Ａ３７      分割上部開口部
Ｂ，Ｇ，Ｊ，Ｎ      収納袋装着体
Ｂ１，Ｇ１，Ｎ１      収納袋装着板
Ｂ２，Ｃ２，Ｆ２，Ｆ３，Ｊ１，Ｈ１，Ｐ１      収納開口穴
Ｂ３，Ｇ２３〜Ｇ２６，Ｎ２３〜Ｎ２６      ミシン目
Ｂ４，Ｃ１，Ｇ２７〜Ｇ３０，Ｈ１０，Ｎ２７〜Ｎ３０
Ｐ１０                                                  周縁部
Ｃ，Ｆ，Ｈ，Ｐ      開口部形状保持体
Ｄ，Ｓ，Ｔ      収納袋
Ｄ５      筒体
Ｄ６      開口部
Ｅ，Ｍ      仕切板
Ｇ２，Ｎ２      収納袋重合板
Ｇ７，Ｇ８，Ｎ７，Ｎ８      収納袋係止板
Ｇ９，Ｇ１０，Ｎ９，Ｎ１０      収納袋保持板
Ｇ１１，Ｇ１２，Ｎ１１，Ｎ１２      重合補強板
Ｇ１７〜Ｇ１９，Ｈ１５〜Ｈ１８，Ｎ１７〜Ｎ１９，Ｐ
１５〜Ｐ１８                                            分割線
Ｇ２１，Ｎ２１      略コ字形分割線
Ｇ２２，Ｎ２２      開口部閉塞板
Ｈ１１〜Ｈ１４，Ｐ１１〜Ｐ１４      収納開口穴補強板
Ｋ，Ｌ，Ｒ      収納袋取出補助体
Ｋ１６〜Ｋ１９，Ｌ１６〜Ｌ１９，Ｒ１６〜Ｒ１９，Ｒ
４２〜Ｒ４９                                            折返し板
Ｋ２１，Ｋ２２，Ｌ２１，Ｌ２２      係合孔
Ｋ２３，Ｌ２３，Ｒ２３      下部開口部
Ｌ２４，Ｌ２５，Ｐ２７〜Ｐ３０      係合溝
Ｌ２６，Ｍ７〜Ｍ９，Ｒ２８，Ｒ２９      幅寸法
Ｌ２７，Ｍ５，Ｍ６，Ｒ３２      高さ寸法
Ｌ３０，Ｌ３１      分割開口部
Ｌ３２，Ｌ３３      分割開口縁
Ｍ１      長方形体
Ｍ２，Ｒ３０      上辺
Ｍ３，Ｍ４      張出部
Ｍ１０      下辺
Ｒ２４〜Ｒ２７      角部補強片
Ｒ３１      切欠横辺
Ｒ３３      切欠部
Ｒ３４〜Ｒ３７      延長部分
Ｒ３８〜Ｒ４１      折返し部分
【図１】
2004331394.tif 000003
【図２】
2004331394.tif 000004
【図３】
2004331394.tif 000005
【図４】
2004331394.tif 000006
【図５】
2004331394.tif 000007
【図６】
2004331394.tif 000008
【図７】
2004331394.tif 000009
【図８】
2004331394.tif 000010
【図９】
2004331394.tif 000011
【図１０】
2004331394.tif 000012
【図１１】
2004331394.tif 000013
【図１２】
2004331394.tif 000014
【図１３】
2004331394.tif 000015
【図１４】
2004331394.tif 000016
【図１５】
2004331394.tif 000017
【図１６】
2004331394.tif 000018
【図１７】
2004331394.tif 000019
【図１８】
2004331394.tif 000020
【図１９】
2004331394.tif 000021
【図２０】
2004331394.tif 000022
【図２１】
2004331394.tif 000023
【図２２】
2004331394.tif 000024
【図２３】
2004331394.tif 000025
【図２４】
2004331394.tif 000026
【図２５】
2004331394.tif 000027
【図２６】
2004331394.tif 000028
【図２７】
2004331394.tif 000029
【図２８】
2004331394.tif 000030
【図２９】
2004331394.tif 000031
【図３０】
2004331394.tif 000032
【図３１】
2004331394.tif 000033
【図３２】
2004331394.tif 000034
【図３３】
2004331394.tif 000035
【図３４】
2004331394.tif 000036
【図３５】
2004331394.tif 000037